(57)【要約】 【課題】  一台の装置にて遊技機島内の各遊技機への遊技媒体の補給と、遊技媒体の不足した他の遊技機島への分配とを切り替えて行うことができる揚送分配装置を提供する。【解決手段】  遊技媒体を遊技機島上部に揚送するための垂直状の揚送リフト２の上部に、揚送された遊技媒体を他の遊技機島に分配するための群内分配用コンベア３を水平状に交差して配設したうえに、揚送リフト２の途中には、遊技媒体を遊技機島内の各遊技機に送出するための下位排出口２５と、遊技媒体を前記群内分配用コンベア３に送出するための上位排出口２６とを設ける。そして、下位排出口２５には遊技媒体の排出規制手段を設けて、他の遊技機島からの遊技媒体要求信号を受けた時に下位排出口２５を閉鎖して遊技媒体を上位排出口２６にまで揚送して送出する。【選択図】    図１
2005304706.tif 000002
【特許請求の範囲】
【請求項１】
遊技媒体を遊技機島上部に揚送するための垂直状の揚送リフトの上部に、その揚送された遊技媒体を遊技機島群内の他の遊技機島に分配するための群内分配手段を配設し、前記揚送リフトの途中には、遊技媒体を当該遊技機島内の各遊技機に送出するための下位排出口と、この下位排出口の上方に遊技媒体を群内分配手段に送出するための上位排出口とを設けたうえに、前記下位排出口には、この下位排出口を常時は開放して遊技媒体を送出し、他の遊技機島からの遊技媒体要求信号を受けた時には閉鎖して遊技媒体を上位排出口まで揚送するための排出規制手段を設けたことを特徴とする遊技媒体の揚送分配装置。
【請求項２】
遊技媒体を遊技機島上部に揚送するための垂直状の揚送リフトの上部に、その揚送された遊技媒体を遊技機島群内の他の遊技機島に分配するための群内分配手段を配設し、前記揚送リフトの途中には、遊技媒体を群内分配手段に送出するための下位排出口と、この下位排出口の上方に遊技媒体を当該遊技機島内の各遊技機に送出するための上位排出口とを設けたうえに、前記下位排出口には、この下位排出口を常時は閉鎖して遊技媒体を上位排出口まで揚送し、他の遊技機島からの遊技媒体要求信号を受けた時には開放して遊技媒体を送出するための排出規制手段を設けたことを特徴とする遊技媒体の揚送分配装置。
【請求項３】
遊技媒体を遊技機島上部に揚送するための垂直状の揚送リフトの上部に、その揚送された遊技媒体を遊技機島群内の他の遊技機島に分配するための群内分配手段と、遊技媒体を他の遊技機島群に搬送するための群間分配手段とを配設するとともに、前記揚送リフトの途中には、遊技媒体を当該遊技機島内の各遊技機に送出するため排出口と、遊技媒体を群内分配手段に送出するための排出口と、遊技媒体を群間分配手段に送出するための排出口とを設けたうえに、これらの排出口のうちの下方の二つには開閉自在な排出規制手段を設けて、これらの排出規制手段を他の遊技機島又は他の遊技機島群からの遊技媒体要求信号に基づいて、適宜に開閉制御することによって、遊技媒体を、当該遊技機島内の各遊技機又は当該遊技機島群内の他の遊技機島又は他の遊技機島群に切り換えて分配するようにしたことを特徴とする遊技媒体の揚送分配装置。
【発明の詳細な説明】
【技術分野】
【０００１】
本発明は、遊技媒体を遊技機島上部に揚送するとともに、揚送された遊技媒体を他の遊技機島に分配することができる遊技媒体の揚送分配装置に関する。
【背景技術】
【０００２】
遊技メダルやパチンコ玉などの遊技媒体は揚送装置により遊技機島上部に揚送されて、通常はその遊技機島内において繰り返し循環使用される。しかし、隣接する遊技機島などにおいて遊技媒体が不足した場合には、メダルを十分保有する遊技機島から遊技媒体が不足した他の遊技機島に遊技媒体を速やかに分配して補給することが必要である。遊技媒体を他の遊技機島に分配するための分配装置として、例えば特許文献１には分配装置を揚送装置（揚上リフト）に交差して設けたものが開示されている。しかしながら、この分配装置は揚送装置から独立した別個のものとなっているので、分配装置が大掛かりになって製造コストがかさむ。また、この分配装置を設置するために広いスペースを確保しなければならないという問題があった。
【０００３】
また、遊技ホールには、多数の遊技機島で構成される遊技機島群が通路などを挟んで幾つか配置されているが、遊技機島群内のみならず遊技機島群間でも遊技媒体のやり取りを行なうことができればなお望ましい。
【特許文献１】特開平１０−２７７２０４号公報  (図２)
【発明の開示】
【発明が解決しようとする課題】
【０００４】
本発明は上記した従来の問題点を解決して、一台の装置にて遊技機島内の各遊技機への遊技媒体の補給と、遊技媒体の不足した他の遊技機島への分配とを切り替えて行うことができる遊技媒体の揚送分配装置を提供するためになされたものである。
【課題を解決するための手段】
【０００５】
上記の課題を解決するためになされた本発明の遊技媒体の揚送分配装置は、遊技媒体を遊技機島上部に揚送するための垂直状の揚送リフトの上部に、その揚送された遊技媒体を遊技機島群内の他の遊技機島に分配するための群内分配手段を配設し、前記揚送リフトの途中には、遊技媒体を当該遊技機島内の各遊技機に送出するための下位排出口と、この下位排出口の上方に遊技媒体を群内分配手段に送出するための上位排出口とを設けたうえに、前記下位排出口には、この下位排出口を常時は開放して遊技媒体を送出し、他の遊技機島からの遊技媒体要求信号を受けた時には閉鎖して遊技媒体を上位排出口まで揚送するための排出規制手段を設けたことを特徴とするものである。
【０００６】
また、本発明の遊技媒体の揚送分配装置は、遊技媒体を遊技機島上部に揚送するための垂直状の揚送リフトの上部に、その揚送された遊技媒体を遊技機島群内の他の遊技機島に分配するための群内分配手段を配設し、前記揚送リフトの途中には、遊技媒体を群内分配手段に送出するための下位排出口と、この下位排出口の上方に遊技媒体を当該遊技機島内の各遊技機に送出するための上位排出口とを設けたうえに、前記下位排出口には、この下位排出口を常時は閉鎖して遊技媒体を上位排出口まで揚送し、他の遊技機島からの遊技媒体要求信号を受けた時には開放して遊技媒体を送出するための排出規制手段を設けたことを特徴とするものである。
【０００７】
また、本発明の遊技媒体の揚送分配装置は、遊技媒体を遊技機島上部に揚送するための垂直状の揚送リフトの上部に、その揚送された遊技媒体を遊技機島群内の他の遊技機島に分配するための群内分配手段と、遊技媒体を他の遊技機島群に搬送するための群間分配手段とを配設するとともに、前記揚送リフトの途中には、遊技媒体を当該遊技機島内の各遊技機に送出するため排出口と、遊技媒体を群内分配手段に送出するための排出口と、遊技媒体を群間分配手段に送出するための排出口とを設けたうえに、これらの排出口のうちの下方の二つには開閉自在な排出規制手段を設けて、これらの排出規制手段を他の遊技機島又は他の遊技機島群からの遊技媒体要求信号に基づいて、適宜に開閉制御することによって、遊技媒体を、当該遊技機島内の各遊技機又は当該遊技機島群内の他の遊技機島又は他の遊技機島群に切り換えて分配するようにしたことを特徴とするものである。
なお、本明細書において、当該遊技機島とは、遊技媒体の要求された遊技機島を指し、当該遊技機島群とは、その遊技機島が属する遊技機島群を指すものとする。
【発明の効果】
【０００８】
本発明の遊技媒体の揚送分配装置は、垂直状に立設された揚送リフトに群内分配手段を水平状に配設して遊技機島間を繋いだうえに、揚送リフトの途中に遊技媒体を当該遊技機島内の各遊技機に送出するための下位排出口と、遊技媒体を前記群内分配手段に送出するための上位排出口とを設けた。そして、下位排出口には排出規制手段を設けて、他の遊技機島からの遊技媒体要求信号を受けた時に下位排出口を閉鎖して遊技媒体を上位排出口にまで揚送するようにしたので、上位排出口から遊技媒体を送出して遊技媒体の不足した遊技機島に分配することができる。
【０００９】
また、下位排出口を、遊技媒体を群内分配手段に送出するためのものとし、この下位排出口の上方に遊技媒体を当該遊技機島内の各遊技機に送出するための上位排出口とを設けたうえに、下位排出口に、この下位排出口を常時は閉鎖し、遊技媒体要求信号を受けた時に開放する排出規制手段を設けることによっても、下位排出口から遊技媒体を送出して遊技媒体の不足した遊技機島に分配することができる。
【００１０】
さらに、揚送リフトの上部に、遊技媒体を遊技機島群内の他の遊技機島に分配するための群内分配手段と、遊技媒体を他の遊技機島群に搬送するための群間分配手段とを直交させて水平状に配設するとともに、前記揚送リフトの途中には、遊技媒体を送出するための下位排出口と中位排出口と上位排出口とを設けたうえに、下位排出口と中位排出口には開閉自在な排出規制手段を設けたので、これらの排出規制手段を適宜開閉することによって、遊技媒体を、当該遊技機島内の各遊技機又は当該遊技機島群内の他の遊技機島又は他の遊技機島群に切り換えて分配することができる。
【００１１】
そして、群内分配手段、群間分配手段の途中には、遊技媒体が不足した時に作動して遊技媒体をこれらのコンベアから落下させるデフレクターを設けたので、遊技媒体の不足した遊技機島に遊技媒体を補給することができる。
【発明を実施するための最良の形態】
【００１２】
以下に図面を参照しつつ本発明の好ましい実施形態を説明する。
図１、２は、本発明に係る遊技媒体の揚送分配装置を示す図であって、この揚送分配装置は通常は遊技機島の端部に設置されている。図示の揚送分配装置は、メダルの研磨装置１、垂直状に立設された揚送リフト２、及び揚送リフト２の上部に水平状に配設された群内分配用コンベア（群内分配手段）３とで構成されている。群内分配用コンベア３は、遊技機島間を繋いで配設されているうえに、遊技機島間においてメダルの送出と受け入れとを切り替えて行うことができるように、正逆回転可能なものとしてある。
【００１３】
研磨装置１は、遊技に使用されて汚染されたメダルを研磨洗浄する装置であって、梯子状に形成された搬送ベルト１１と、この搬送ベルト１１の上下に配置されたロール巻取り式の研磨布１２、１３とを備えている。すなわち、搬送ベルト１１により使用済みのメダルを斜め上方に搬送しつつ、メダルに研磨布１２、１３を擦り付けて研磨し、研磨済みのメダルを揚送リフト２に送出する。
【００１４】
揚送リフト２は、図３に示すような構造のものであって、メダルを揚送するための多数のバケット２１を有する揚送ベルト２２が支持枠２３の上下方向に渡って張設されている。揚送リフト２の下部には研磨装置１からのメダルを受け入れるメダル受け入れ口２４が設けられ、このメダル受け入れ口２４からバケット２１にメダルが投入される。揚送リフト２の上部には二つのメダル排出口、すなわち、群内分配用コンベア３より下方に位置する下位排出口２５と、群内分配用コンベア３より上方に位置する上位排出口２６とが設けられている。
【００１５】
下位排出口２５近傍の構造を図４に示す。バケット２１は、支持枠２３の一側に向けて傾斜する底面２７と垂直状に折り曲げられた２枚の側面２８を有しており、また、バケット２１の低位側端部は開口された状態である。従って、バケット２１内のメダルは支持枠２３の一側により外部への排出を規制されつつ揚送される。
【００１６】
下位排出口２５にはソレノイド２９により作動可能なメダルの排出規制板３０が配設されている。通常の状態では、この排出規制板３０はバネ２０の引き付けにより上方に回動されていて下位排出口２５は開放されていてメダルの排出が可能である。しかし、他の遊技機島からのメダル要求信号を受けた時にはソレノイド２９が通電されてプランジャーを吸引することにより、排出規制板３０が下位排出口２５を閉鎖してメダルの排出を不可能とする。従って、メダルは下位排出口２５から排出されることなく上位排出口２６にまで揚送される。
【００１７】
揚送分配装置上部の構造を図５に示す。上位排出口２６は常に開放されたままであり、揚送されてきたメダルは上位排出口２６からシュート１９を介して群内分配用コンベア３上に投入される。群内分配用コンベア３の途中には、上下動可能な薄板状のデフレクター３１が一対配置されており、その下方には遊技機島のメダルの補給口３２が設けられている。このデフレクター３１は搬送されてきたメダルの流れを変えて下方の補給口３２に落下させるように、群内分配用コンベア３に対して斜めに設置されている。そして、一対のデフレクター３１のうちの一方は、図において右方から運ばれたメダルを偏流させ、他方のデフレクター３１は左方から運ばれたメダルを偏流させて落下させるように相互に背を向けて配置されている。このデフレクター３１は全ての遊技機島の上部に配設されている。
【００１８】
デフレクター３１は図６、７に示すような構造のものであって、モータＭの軸に偏心円板３３とリンク棒３４とにより接続されているので、モータＭの回転により図示のようにして上下動することができる。メダルを送出する遊技機島上方のデフレクター３１は、群内分配用コンベア３からがメダルが落下しないように上方に上げられてメダルの通過を可能とする。一方、メダルの不足した遊技機島上方のデフレクター３１は、群内分配用コンベア３に接触するまで降下されている。従って、搬送されてきたメダルを下方の補給口３２に落下させることができる。
【００１９】
以上のように構成された遊技媒体の揚送分配装置においては、以下に述べるようにしてメダルが遊技機島内への分配と他の遊技機島への分配とを切り替えて行う。
すなわち、研磨装置１において研磨されたメダルは、揚送リフト２下部のメダル受け入れ口２４からバケット２１に投入される(図１、２)。バケット２１内のメダルは下位排出口２５にまで揚送されるが、通常は下位排出口２５は開放されているので、メダルは下位排出口２５に設けられたシュート１８から、遊技機島上部に設けた配給装置５に投入されて遊技機島内の各遊技機にメダルが補給される。なお、一部の余剰メダルはタンク６に受けられて下方の中間受け入れ口７から揚送リフト２に再び回収される。
【００２０】
そして、ある遊技機島が遊技媒体の補給要求信号を出力した場合には、各遊技機島のタンク内のメダル保有量を検出し、メダル保有量の最も多い遊技機島からメダル不足の遊技機島にメダルが搬送されるように群内分配用コンベア３の搬送方向をセットする。そして、メダルを送出する遊技機島のデフレクター３１は上昇させ、メダルを受け入れる遊技機島のデフレクター３１は降下させる。
【００２１】
また、メダルの要求信号を受けた遊技機島の揚送リフト２においては、排出規制板３０が作動して下位排出口２５が閉鎖される。これによってメダルを下位排出口２５から排出することなく上位排出口２６にまで揚送することができる。揚送されたメダルは、常に開放状態にある上位排出口２６からシュート１９を介して群内分配用コンベア３上に投入される。メダルを送り出す側の遊技機島のデフレクター３１は上昇されているのでメダルがその下を通過しメダル不足となった遊技機島に向けて搬送される。そして、搬送先の遊技機島のデフレクター３１は降下されているので、このデフレクター３１によりメダルを落下させて補給することができる。
【００２２】
図８、９には別の形態の揚送分配装置を示す。この形態の揚送分配装置においては、揚送リフト２の途中に設けた下位排出口２５は遊技媒体を群内分配用コンベア３に送出するためのものとしてあり、この下位排出口２５の上方の上位排出口２６は遊技媒体を当該遊技機島内の各遊技機に送出するためのものとしてある。そして、下位排出口２５には排出規制板３０を有する排出規制手段が設けられているが、この排出規制板３０は、常時は下位排出口２５を閉鎖している。よって、遊技媒体は上位排出口２６まで揚送されて、シュータ３５から遊技機設置島上方の補給コンベア３６に送出され、補給コンベア３６上の遊技媒体は各遊技機まで運搬される。また、当該遊技機島群内の他の遊技機島から遊技媒体要求信号を受けた時には、排出規制板３０は下位排出口２５を開放するので遊技媒体を群内分配用コンベア３に送出することができる。
【００２３】
また、図１０〜１３には群間分配手段が配設された揚送分配装置を示す。この装置においては、群内分配用コンベア３の上方に、遊技媒体を他の遊技機島群に搬送するための群間分配用コンベア（群間分配手段）４１が群内分配用コンベア３に直交させて水平状に配設されている。揚送リフト２の途中には、遊技媒体を当該遊技機島内の各遊技機に送出するための下位排出口４２と、この下位排出口の上方に遊技媒体を群内分配用コンベア３に送出するための中位排出口４３と、この中位排出口４３の上方に遊技媒体を群間分配用コンベア４１に送出するための上位排出口４４が設けられている。そして、下側の二つの下位排出口４２、中位排出口４３には排出規制手段が設けられている。
【００２４】
群間分配用コンベア４１は、図１３に示すように中央通路４５を挟んで、左側の遊技機島群４６と右側の遊技機島群４７とを繋いでいる。このように配設された揚送分配装置において、一方の遊技機島群の揚送分配装置が他の遊技機島群からの遊技媒体要求信号を受けた時には、下位排出口４２及び中位排出口４３の排出規制板３０が閉鎖されて、遊技媒体を上位排出口４４にまで揚送するので、群間分配コンベア４１により遊技媒体を他方の遊技機島群に分配することができる。即ち、他の遊技機島から遊技媒体要求信号が受けていないときには下位排出口４２を開放、他の遊技機島からの遊技媒体要求信号を受けたときには下位排出口４２を閉鎖、他の遊技機島群からの遊技媒体要求信号を受けたときには、下位排出口４２及び中位排出口４３を閉鎖する。この排出規制手段の制御は、排出口の上下関係によって異なる制御となる。
【００２５】
なお、遊技媒体を当該遊技機島内の各遊技機に送出するための排出口、群内分配用コンベア３及び群間分配用コンベア４１の間の上下関係にはなんら制限はなく、その位置関係に対応して下位排出口４２、中位排出口４３、上位排出口４４を、遊技媒体を当該遊技機島内の各遊技機に送出するための排出口、遊技媒体を群内分配用コンベア３に送出するための排出口、遊技媒体を群間分配用コンベア４１に送出するための排出口に適宜設定してもよいことはいうまでもない。また、分配手段としてコンベアを用いたが、遊技媒体が自重で転動するように、樋状の部材を傾斜を設けて遊技機島内、もしくは遊技機島間に配設してもよい。
【００２６】
以上説明したように、本発明の遊技媒体の揚送分配装置は、一台の装置にて遊技媒体を当該遊技機島内の各遊技機、又は当該遊技機島群内の他の遊技機島、又は他の遊技機島群へ切り換えて補給することができるという大きな利点を有する。
【図面の簡単な説明】
【００２７】
【図１】遊技媒体の揚送分配装置の内部構造を示す正面図である。
【図２】遊技媒体の揚送分配装置の内部構造を示す側面図である。
【図３】揚送リフトの斜視図である。
【図４】下位排出口近傍の構造を示す図であって、(ａ)は下位排出口が開放状態、(ｂ)は下位排出口が閉鎖状態である。
【図５】揚送分配装置の上部構造を示す図であって、(ａ)は平面図、(ｂ)は正面図、(ｃ)          は側面図である。
【図６】デフレクターの斜視図である。
【図７】デフレクターの上下動を説明する正面図である。
【図８】上記したものと別の形態の揚送分配装置を示す正面図である。
【図９】図８の揚送分配装置の側面図である。
【図１０】群間分配コンベアが設けられた揚送分配装置の正面図である。
【図１１】図１０の揚送分配装置の側面図である。
【図１２】図１０の揚送分配装置における揚送リフトの斜視図である。
【図１３】遊技機島群を繋ぐ群間コンベアを示す平面図である。
【符号の説明】
【００２８】
１  メダルの研磨装置
２  揚送リフト
３  群内分配用コンベア（群内分配手段）
５  配給装置
６  タンク
７  中間受け入れ口
１１  搬送ベルト
１２、１３  研磨布
１８、１９  シュート
２１  バケット
２２  揚送ベルト
２３  支持枠
２４  メダル受け入れ口
２５  下位排出口
２６  上位排出口
２７  バケットの底面
２８  バケットの側面
２９  ソレノイド
３０  遊技媒体の排出規制板
３１  デフレクター
３２  メダルの補給口
３３  偏心円板
３４  リンク棒
３５  シュータ
３６  補給コンベア
４１  群間分配用コンベア（群間分配手段）
４２  下位排出口
４３  中位排出口
４４  上位排出口
４５  中央通路
４６、４７  遊技機島群
【図１】
2005304706.tif 000003
【図２】
2005304706.tif 000004
【図３】
2005304706.tif 000005
【図４】
2005304706.tif 000006
【図５】
2005304706.tif 000007
【図６】
2005304706.tif 000008
【図７】
2005304706.tif 000009
【図８】
2005304706.tif 000010
【図９】
2005304706.tif 000011
【図１０】
2005304706.tif 000012
【図１１】
2005304706.tif 000013
【図１２】
2005304706.tif 000014
【図１３】
2005304706.tif 000015